(57)【要約】【課題】この発明は、例えば広告者がコンテンツを入力し、入力されたコンテンツに基づく広告を見た利用者に特典を付与するような広告効果の高い広告管理システムを提供することを目的とする。【解決手段】広告者からのコンテンツ情報の入力を許容するコンテンツ入力画面１００と、電子ポスター出力装置４２等の広告媒体を選択する広告媒体選択部１１３と、媒体種別を特定する広告ＩＤと、前記コンテンツ情報とに基づいて上記広告媒体毎の広告情報を生成する広告情報生成プログラムと、上記広告情報を表示する上記広告媒体から利用者携帯電話機４３が取得した上記広告ＩＤを１以上取得するＲＦＩＤ読書装置２３と、取得した広告ＩＤの数に応じて特典を付与する特典付与プログラムと、特典が付与された上記広告情報を管理する管理プログラムとを備えた。【選択図】図１
2007304634.tif 000002
【特許請求の範囲】
【請求項１】
広告を希望する広告者からのコンテンツに関するコンテンツ情報の入力を許容するコンテンツ入力手段と、
複数の媒体種別の広告媒体の中から少なくとも１種類の広告媒体の選択を許容する媒体選択手段と、
少なくとも上記広告媒体の媒体種別を特定する広告特定情報と、前記コンテンツ情報とに基づいて媒体種別毎に広告媒体用の広告情報を生成する広告情報生成手段と、
上記広告情報を表示する広告媒体と、
該広告媒体から利用者端末が取得した上記広告特定情報を１以上取得する特定情報取得手段と、
該特定情報取得手段が取得した上記広告特定情報の数に応じて特典を付与する特典付与手段と、
特典を付与した特典付与情報を管理する特典付与情報管理手段とを備えた
広告管理システム。
【請求項２】
前記コンテンツ入力手段を、
複数のコンテンツ種別の前記コンテンツ情報の入力を許容する構成とし、
前記広告特定情報に、
上記コンテンツ種別を特定するコンテンツ種別特定情報を備え、
前記特典付与手段を、
上記コンテンツ種別特定情報のコンテンツ種別数に応じた特典を付与する構成とした
請求項１に記載の広告管理システム。
【請求項３】
前記特典付与情報管理手段に、
特典を付与した前記広告特定情報を集計する集計手段と、
該集計手段による集計結果に基づいて、媒体種別毎の広告効果を算出する広告効果算出手段と、
該広告効果算出手段によって算出された広告効果を出力する広告効果出力手段を備えた
請求項１又は２に記載の広告管理システム。
【請求項４】
前記特定情報取得手段を、
前記利用者端末から送信された広告特定情報を受信する構成とした
請求項１、２或いは３に記載の広告管理システム。
【請求項５】
前記利用者端末から取得した前記広告特定情報に基づいて、特典を受けることのできるクーポン情報を発行するクーポン発行手段を備え、
前記特典付与手段を、
上記クーポン情報に基づいて特典を付与する構成とした
請求項１、２或いは３に記載の広告管理システム。
【請求項６】
前記クーポン情報を発行したクーポン発行情報を管理する発行情報管理手段を備え、
前記特典付与手段を、
特典を付与する上記クーポン情報について、上記発行情報管理手段に対して認証要求し、上記クーポン発行情報に基づいて認証された場合に、特典付与を許容する構成とした
請求項５に記載の広告管理システム。
【請求項７】
前記特典付与情報管理手段を、
特典が付与された上記クーポン情報を、特典付与済クーポン情報として管理する構成とし、
前記特典付与手段を、
上記クーポン情報が特典付与済であるか否かを判定し、特典付与済であれば特典を付与しない構成とした
請求項５又は６に記載の広告管理システム。
【発明の詳細な説明】
【技術分野】
【０００１】
この発明は、例えば広告者がコンテンツを入力し、入力されたコンテンツに基づく広告を見た利用者に特典を付与するような広告管理システムに関する。
【背景技術】
【０００２】
従来から、広告等に掲載したクーポン券等に基づいて特典を付与することで集客効果を高める試みは多くなされ、特典を付与するためのシステムも多く提案されている。
【０００３】
例えば、特許文献１のシステムは、ＲＦＩＤタグを利用した電子クーポン情報の利用実績をサーバで管理することでクーポンの利用回数に制限を与えることのできるシステムである。これにより、クーポンの使用によって制限数内で複数回特典を付与できるため集客効果は向上し、クーポンを発行した広告主は、クーポンの使用実績に基づいてクーポンによる集客効果を確認することができる。  
しかし、この様な電子クーポンの場合、広告媒体が限定されるため、広告主の満足を得るシステムではなかった。
【０００４】
【特許文献１】特開２００５−２２４３６号公報
【発明の開示】
【発明が解決しようとする課題】
【０００５】
この発明は、例えば広告者がコンテンツを入力し、入力されたコンテンツに基づく広告を見た利用者に特典を付与するような広告効果の高い広告管理システムを提供することを目的とする。
【課題を解決するための手段】
【０００６】
この発明は、広告を希望する広告者からのコンテンツに関するコンテンツ情報の入力を許容するコンテンツ入力手段と、複数の媒体種別の広告媒体の中から少なくとも１種類の広告媒体の選択を許容する媒体選択手段と、少なくとも上記広告媒体の媒体種別を特定する広告特定情報と、前記コンテンツ情報とに基づいて媒体種別毎に広告媒体用の広告情報を生成する広告情報生成手段と、上記広告情報を表示する広告媒体と、該広告媒体から利用者端末が取得した上記広告特定情報を１以上取得する特定情報取得手段と、該特定情報取得手段が取得した上記広告特定情報の数に応じて特典を付与する特典付与手段と、特典を付与した特典付与情報を管理する特典付与情報管理手段とを備えたことを特徴とする。
【０００７】
上記広告媒体は、液晶、プラズマ、ＬＥＤまたはプロジェクタ等の画面を備えた電子ポスター、ハガキ、紙ポスター、ホームページ（ＨＰ）、リーフレット等のチラシ、或いは冊子等であることを含む。  
上記利用者端末は、広告手段から広告特定情報を取得する２Ｄバーコードリーダ、ＲＦＩＤリーダ、メール等の通信手段、或いはカメラ等を備えた携帯電話や、基地局５１と介するパケット通信専用通信ＰＤＡ、或いは一般電話回線とＰＨＳアンテナとを介するＰＨＳ電話機等であることを含む。  
上記特定情報取得手段は、上記利用者端末に保存された広告特定情報を取得する２Ｄバーコードリーダ、ＲＦＩＤリーダ、メール等の通信手段、或いはカメラ等であることを含む。
【０００８】
これにより、広告者は、広告したいコンテンツ内容を見た利用者に特典を付与することができる。  
また、広告者は、１つのコンテンツ内容について様々な広告媒体で広告することを容易に実行できるとともに、どの広告媒体での情報に基づいて特典を付与したかを管理することができる。したがって、広告者は、様々な利用者をターゲットとして、広告することができるとともに、広告媒体毎の広告効果を把握することができる。  
また、利用者は複数の広告媒体でコンテンツを見ることによって、その数に応じた特典を受けることができる。これにより、利用者の満足度を高めることができる。
【０００９】
この発明の態様として、前記コンテンツ入力手段を、複数のコンテンツ種別の前記コンテンツ情報の入力を許容する構成とし、前記広告特定情報に、上記コンテンツ種別を特定するコンテンツ種別特定情報を備え、前記特典付与手段を、上記コンテンツ種別特定情報のコンテンツ種別数に応じた特典を付与する構成とすることができる。
【００１０】
これにより、例えば、それぞれを組み合わせることでひとつの図柄等を構成するようなパズル化、物語化、或いはシリーズ化した複数のコンテンツによる広告を行うことができる。したがって、広告者は、利用者の興味を促す広告を実施することができ、広告効果を高めることができる。  
また、利用者は例えばシリーズ化された複数のコンテンツを動画のように見ることで、その数に応じた特典を受けることができる。これにより、利用者の満足度をさらに高めることができる。
【００１１】
また、この発明の態様として、前記特典付与情報管理手段に、特典を付与した前記広告特定情報を集計する集計手段と、該集計手段による集計結果に基づいて、媒体種別毎の広告効果を算出する広告効果算出手段と、該広告効果算出手段によって算出された広告効果を出力する広告効果出力手段を備えることができる。
【００１２】
上記広告効果とは、例えば、広告媒体の配布枚数に対する特典付与数や、広告費用に対する特典として付与した金額のような所定の母数に対する割合等であることを含む。  
これにより、広告者は、広告効果の高い広告媒体を把握することができる。したがって、広告者は、例えば、コンテンツ内容に応じて、より広告効果の高い広告媒体による広告を優先的に行うといった広告戦略を立てることができる。これにより、広告者の利便性を高めることができる。
【００１３】
また、この発明の態様として、前記特定情報取得手段を、前記利用者端末から送信された広告特定情報を受信する構成とすることができる。  
上記送信された広告特定情報は、電子メールや、ＲＦＩＤによって送信された広告特定情報であることを含む。  
これにより、確実に広告特定情報を取得することができる。また、例えば、キーボードを使って広告特定情報を入力する場合と比較して、広告特定情報の取得のための手間を省くことができ、利便性が高まる。
【００１４】
また、この発明の態様として、前記利用者端末から取得した前記広告特定情報に基づいて、特典を受けることのできるクーポン情報を発行するクーポン発行手段を備え、前記特典付与手段を、上記クーポン情報に基づいて特典を付与する構成とすることができる。
【００１５】
上記クーポン情報は、例えば商品を販売したときに購入者に渡すレシートに印字されたクーポン情報や、利用者の使用している携帯電話等の端末に保存される電子クーポン情報であることを含む。  
これにより、例えば、スーパー等の販売店にクーポン発行手段を設置し場合、販売店の集客効果を得ることができる。また、例えば、クーポン情報を発行するために一定金額以上の購入が必要といったクーポン発行条件を設定することができ、これによって、クーポン情報を発行する販売店等の売上を向上することができる。
【００１６】
また、この発明の態様として、前記クーポン情報を発行したクーポン発行情報を管理する発行情報管理手段を備え、前記特典付与手段を、特典を付与する上記クーポン情報について、上記発行情報管理手段に対して認証要求し、上記クーポン発行情報に基づいて認証された場合に、特典付与を許容する構成とすることができる。  
これにより、例えば、偽造されたクーポン情報に基づく特典付与を防止することができる。また、クーポン発行情報を管理できるため、クーポン発行情報に基づいて、広告効果を把握することができる。
【００１７】
また、この発明の態様として、前記特典付与情報管理手段を、特典が付与された上記クーポン情報を、特典付与済クーポン情報として管理する構成とし、前記特典付与手段を、上記クーポン情報が特典付与済であるか否かを判定し、特典付与済であれば特典を付与しない構成とすることができる。  
これにより、既に特典付与されたクーポン情報に基づいて２重に特典付与することを防止できる。
【発明の効果】
【００１８】
この発明によれば、広告者がコンテンツを入力し、入力されたコンテンツによる広告を見た利用者に特典を付与するような広告効果の高い広告を実行するとともに、実行した広告を管理することができる。
【発明を実施するための最良の形態】
【００１９】
この発明の一実施形態を以下図面と共に説明する。  
まず、図１に示すシステム構成図と共に、広告管理システム１のシステム構成について説明する。
【００２０】
広告管理システム１は、管理サーバ１０と、インターネット５０を介して管理サーバ１０に接続されている広告を希望する広告者が利用する広告者端末３０、クーポンを発行するクーポン発行所で利用されるクーポン発行所端末２０、特典付与所で利用される特典付与所端末４０、電子ポスター出力装置４２、基地局５１を介して無線通信可能な利用者携帯電話機４３、電子ポスター出力自動販売機４４、並びに電子ポスター出力装置搭載タクシー４５とで構成している。
【００２１】
なお、図１においては、クーポン発行所端末２０と、広告者端末３０と、特典付与所端末４０と、利用者が使用する利用者携帯電話機４３、電子ポスター出力装置４２、電子ポスター出力自動販売機４４、並びに電子ポスター出力装置搭載タクシー４５等は理解容易とするためにそれぞれを１つずつ示しているが、いずれも複数存在している。
【００２２】
前記管理サーバ１０、クーポン発行所端末２０、広告者端末３０並びに特典付与所端末４０は、コンピュータであり、ＣＰＵとＲＯＭとＲＡＭで構成される制御装置、ハードディスク等の記憶装置、ＣＤ−ＲＯＭドライブやＦＤドライブ等の記憶媒体を読取る記憶媒体読取装置、または記憶媒体読書き装置、マウスやキーボード等の入力装置、ＣＲＴや液晶画面等で構成する表示装置（１２，２１，３１，４０ａ）、並びにインターネット５０を介して通信を行なうＬＡＮボード等の通信装置を備えている。また、管理サーバ１０はＷＥＢサーバ機能、データベースサーバ機能、及びメールサーバ機能を備えている。  
なお、管理サーバ１０には、広告媒体がハガキ、チラシ、または冊子である場合に、広告情報を上記ハガキ、チラシ、または冊子に印刷する両面プリンタ１３を接続している。
【００２３】
また、管理サーバ１０は前記記憶装置に記憶した管理データベース（ＤＢ）１１によって、広告者情報、コンテンツ情報、広告媒体情報、広告実行情報、クーポン発行情報、クーポン発行所情報、特典付与情報、特典内容情報、特典付与所情報、表示プログラム情報、並びに特典が付与された利用者情報等を管理している。
【００２４】
なお、上記広告者情報には、広告者毎のＩＤ、名称、住所、連絡先、及び広告者端末３０の電子メールアドレス等が含まれている。  
上記コンテンツ情報には、コンテンツ毎のＩＤ、コンテンツ内容であるテキスト、画像等が含まれている。
【００２５】
上記表示プログラム情報には、記憶された表示プログラム毎のＩＤ、表示プログラムの記憶先、その表示プログラムで表示されるコンテンツ数等が含まれている。  
上記クーポン発行所情報には、クーポン発行所毎のＩＤ、名称、住所、連絡先、及びクーポン発行所端末２０の電子メールアドレス等が含まれている。
【００２６】
上記特典付与所情報には、特典付与所毎のＩＤ、名称、住所、連絡先、及び広告者端末３０の電子メールアドレス等が含まれている。  
上記利用者情報には、特典が付与された利用者毎のＩＤ、氏名、住所、連絡先、及び利用者携帯電話機４３の電子メールアドレス等が含まれている。
【００２７】
上記広告媒体管理情報には、媒体毎のＩＤ、電子ポスター等の媒体の種別を示す媒体種別、配布や設置している場所やエリアや管理者等によってグループ化されたグループＩＤ、及びアドレス等の配信方法等が含まれている。
【００２８】
上記特典内容情報には、例えば、特典内容のＩＤ、購入金額の５％割引等の特典内容、複数の広告特定情報に基づく場合の特典内容、３０００円以上購入の場合等の特典を付与する特典付与条件、特典を付与する特典付与所のＩＤ、３０００円以上購入の場合等のクーポンを付与するクーポン発行条件、クーポンを発行するクーポン発行所のＩＤ等が含まれている。
【００２９】
上記広告実行情報には、広告のＩＤ、実行した広告の内容を示すコンテンツＩＤ、関連コンテンツＩＤ、広告を実行した媒体ＩＤ、実行時期、広告実行費用等が含まれている。  
上記クーポン発行情報には、発行したクーポン毎に設定されたクーポン発行のＩＤ、クーポン発行に基づく広告ＩＤ、クーポンを発行したクーポン発行所ＩＤ、クーポンを発行した日時、及びクーポンを発行するときに利用者が購入した購入商品や購入金額等が含まれている。
【００３０】
上記特典付与情報には、特典付与のＩＤ、特典付与に基づくクーポンのＩＤ、割引金額等の付与された特典内容、特典が付与された日時、及び特典が付与された利用者のＩＤ、特典を付与したときに利用者が購入した購入商品や購入金額等が含まれている。
【００３１】
さらに、上記記憶装置には、広告者情報等を登録する情報登録プログラムや、特典付与所端末４０からの照会依頼に対して照会を受けたクーポン情報が管理ＤＢ１１のクーポン発行情報に登録されているかを照会する認証プログラムや、入力されたコンテンツ情報から広告媒体毎の広告情報を生成する広告情報生成プログラムや、広告媒体を特定する広告特定情報を含む２Ｄバーコード等の識別子を生成する識別子生成プログラムや、クーポン情報に基づいて付与した特典等の情報を管理する管理プログラムや、特典が付与された後に該当するクーポン情報を更新する情報更新プログラムや、管理された特典付与情報等の情報を集計して統計処理等を行う集計処理実行プログラムや、様々な情報を例えば表示装置１２に出力する出力プログラムや、電子メール配信実行プログラム等の必要な処理を実行するプログラムや、各種広告媒体用のテンプレートとなるテンプレートデータが記憶されている。
【００３２】
また、クーポン発行所で利用されるクーポン発行所端末２０や特典付与所で利用される特典付与所端末４０にはレジスタ２２，４０ｂと、後述する利用者携帯電話機４３に対して非接触で通信して読書可能なＲＦＩＤ読書装置２３，４０ｃとが接続されている。
【００３３】
また、クーポン発行所端末２０の上記記憶装置には、ＲＦＩＤ読書装置２３で利用者携帯電話機４３から前記広告特定情報を読取る特定情報読取りプログラムや、読取った広告特定情報が有効に取得できているかを判定する有効性判定プログラムや、クーポン発行条件を満たすか否かを判定する条件判定プログラムや、該発行条件を満たした場合にクーポン情報を発行するクーポン発行プログラムや、発行したクーポン情報を、ＲＦＩＤ読書装置２３を介して利用者携帯電話機４３に書込むクーポン情報書込みプログラムや、クーポンの発行情報やレジスタ２２で集計された入荷販売情報を管理サーバ１０に登録する情報登録プログラム等を記憶している。
【００３４】
また、特典付与所端末４０の上記記憶装置には、ＲＦＩＤ読書装置４０ｃで利用者携帯電話機４３から前記クーポン情報を読取るクーポン情報読取りプログラムや、読取ったクーポン情報が有効に取得できているかを判定する有効性判定プログラムや、読取ったクーポン情報を管理サーバ１０に対して認証要求する認証要求プログラムや、特典付与条件を満たすか否かを判定する条件判定プログラムや、該付与条件を満たした場合に特典を付与する特典付与プログラムや、特典の付与情報やレジスタ４０ｂで集計された入荷販売情報を管理サーバ１０に登録する情報登録プログラム等を記憶している。
【００３５】
広告者が利用する広告者端末３０の記憶手段には、管理サーバ１０にインターネット５０を介して接続して、前記集計処理実行プログラムによる処理を要求し、その結果を受信して出力する集計処理要求プログラム等や、コンテンツに貼り付ける画像データ等を記憶している。
【００３６】
利用者携帯電話機４３は、基地局５１と無線で通信する携帯電話機であり、ＣＰＵとＲＯＭとＲＡＭとで構成する制御装置、不揮発性メモリ等で構成する記憶装置、液晶画面４３ａ、押下ボタン等で構成する入力装置、マイク等の音声入力装置、スピーカ等の発音装置、アンテナ等の通信装置（通信部）、ＲＦＩＤ通信装置、及び２Ｄバーコード等の識別子を読取るリーダ等を備えている。
【００３７】
なお、本実施例においては、利用者携帯電話機４３は通常の携帯電話機を用いているが、第３世代や第３．５世代等の高速通信が可能な携帯電話機を用いてもよく、さらにはパケット通信専用の携帯端末であってもよい。  
さらには、利用者携帯電話機４３の代用として、インターネット５０を介して通信する広告者端末３０と同様の端末を用いてもよく、また、無線ＬＡＮ、２．４Ｇ帯を利用するＳＳ無線、或いは一般電話回線とＰＨＳアンテナとを介するＰＨＳ回線等を用いて通信してもよい。
【００３８】
また、上記記憶装置には、利用者の氏名、住所、連絡先、並びに電子メールアドレス等の個人特定情報や、ブラウザプログラムや、メールプログラムや、広告媒体に２Ｄバーコードとして出力された広告特定情報を読取る読取プログラムや、読取った複数の広告特定情報又はＲＦＩＤ読書装置２３を介して送信されたクーポン情報を保存管理する管理プログラムや、保存管理された広告特定情報をＲＦＩＤ読書装置２３等のリーダに送信する特定情報送信プログラム等の必要な処理を実行するプログラムや、読取った複数の広告特定情報や、受信したクーポン情報等が記憶されている。
【００３９】
また、該ブラウザ機能によって、前記管理サーバ１０のＷＥＢサーバ機能で提供される広告用ＨＰにアクセスすることができるとともに、該メール送受信機能によって、管理サーバ１０等から配信されたクーポン情報等を電子メールで送受信することもできる。
【００４０】
電子ポスター出力装置４２、並びに電子ポスターを出力する電子ポスター出力装置４４ｄを備えた電子ポスター出力自動販売機４４、及び電子ポスター出力装置搭載タクシー４５は、ＣＰＵとＲＯＭとＲＡＭで構成される制御装置、ハードディスク等の記憶装置、表示装置、及びインターネット５０を介して通信を行なうＬＡＮボードや基地局５１を介して通信する無線装置等の通信装置を備えるとともに、データベースサーバ機能、及びメールサーバ機能を備えている。
【００４１】
また、電子ポスター出力装置４２、電子ポスター出力自動販売機４４、並びに電子ポスター出力装置搭載タクシー４５の記憶装置には、管理サーバ１０から送信された広告情報を受信する受信プログラムや、受信した広告情報等を保存管理する管理プログラムや、管理サーバ１０から送信された広告情報の表示時間や順序等の表示プログラムを実行制御する制御プログラム等、必要な処理を実行するプログラムや、広告情報や表示プログラム等が記憶されている。
【００４２】
詳述すると、電子ポスター出力装置４２は、例えば、イベント会場やショッピングモール等の街頭、或いはスーパーマーケットやコンビニ等の店舗内等の多くの人が行き交う場所に設置され、インターネット５０を介して管理サーバ１０から送信された電子ポスター用の広告情報を、広告特定情報とともに液晶画面４２ａに出力する。また、停電時のデータ消失の防止やシャットダウン処理のための無停電装置４２ｂが接続されている。
【００４３】
なお、上記電子ポスター出力装置４２は、アーケードの天井付近から吊り下げられるハンガータイプや壁面に埋め込まれた壁面埋込タイプの電子ポスター出力装置であってもよい。  
また、上記液晶画面４２ａは、プラズマ、プロジェクタ、ＬＥＤ、或いはＣＲＴ等で構成された表示画面であってもよい。また、インターネット５０を介する有線通信の代用として、無線ＬＡＮ、２．４Ｇ帯を利用するＳＳ無線、基地局５１と介するパケット通信専用通信、或いは一般電話回線とＰＨＳアンテナとを介するＰＨＳ回線等を用いてもよい。
【００４４】
また、電子ポスター出力自動販売機４４は、電子ポスター出力自動販売機４４の正面図である図２に示すように、缶入り飲料等の商品を販売する自動販売機であり、自動販売機本体４４ａの上部に、液晶画面４４ｂと基地局５１と無線で通信するアンテナ等の通信装置４４ｃとを有する電子ポスター出力装置４４ｄを備えている。なお、電子ポスター出力自動販売機４４の上記記憶装置には、上記プログラム以外に自動販売機本体４４ａでの入荷販売情報を管理サーバ１０に送信する入荷販売情報送信プログラム等を記憶している。
【００４５】
なお、上記液晶画面４４ｂは、プラズマ、プロジェクタ、ＬＥＤ、或いはＣＲＴ等で構成された表示画面であってもよい。また、電子ポスター出力装置４４ｄは通信装置４４ｃによって基地局５１と無線で通信しているが、無線ＬＡＮ、２．４Ｇ帯を利用するＳＳ無線、基地局５１と介するパケット通信専用通信、或いは一般電話回線とＰＨＳアンテナとを介するＰＨＳ回線等であってもよい。
【００４６】
また、電子ポスター出力装置搭載タクシー４５は、電子ポスター出力装置４５ｂを搭載したタクシーであり、基地局５１と無線で通信するアンテナ等の通信装置４５ａと、室内に配備した液晶画面（図示省略）とを有する電子ポスター出力装置４５ｂを備えている。なお、電子ポスター出力装置搭載タクシー４５の電子ポスター出力装置４５ｂの上記記憶装置には、上記プログラム以外にタクシーでの乗車記録を管理サーバ１０に送信する乗車記録送信プログラム等を記憶している。
【００４７】
なお、図示省略する上記液晶画面は、プラズマ、プロジェクタ、ＬＥＤ、或いはＣＲＴ等で構成された表示画面であってもよい。また、電子ポスター出力装置４５ｂは通信装置４５ａによって基地局５１と無線で通信しているが、無線ＬＡＮ、２．４Ｇ帯を利用するＳＳ無線、基地局５１と介するパケット通信専用通信、或いは一般電話回線とＰＨＳアンテナとを介するＰＨＳ回線等であってもよい。
【００４８】
以上のシステム構成により、広告者は広告者端末３０で管理サーバ１０にアクセスして、上記項目で構成される広告者情報を登録できる。また、広告者は広告者端末３０で管理サーバ１０にコンテンツ情報や特典内容情報等の広告実行のために必要な情報を登録することができる。さらには、管理サーバ１０に対して前記集計処理実行プログラムによる処理を要求し、その結果を受信して出力することができる。
【００４９】
また、クーポン発行所の担当者は、クーポン発行所端末２０で管理サーバ１０にアクセスして、上記項目で構成されるクーポン発行所情報を登録できるとともに、レジスタ２２で集計した入荷販売情報を情報登録プログラムによって管理サーバ１０に登録することができる。さらに、クーポン発行所端末２０は、利用者携帯電話機４３から読み取った前記広告特定情報の有効性を有効性判定プログラムによって判定することができる。また、有効であると判断され、条件判定プログラムによってクーポン発行条件を満足すると判定された場合に、クーポン発行プログラムによってクーポン情報を発行することができる。さらには、クーポン発行所端末２０は発行したクーポン情報をクーポン情報書込みプログラムによって利用者携帯電話機４３に書き込むとともに、管理サーバ１０にクーポン発行情報や入荷販売情報を情報登録プログラムによって登録することができる。
【００５０】
また、特典付与所の担当者は、特典付与所端末４０で管理サーバ１０にアクセスして、上記項目で構成される特典付与所情報を登録できるとともに、レジスタ４０ｂで集計した入荷販売情報を情報登録プログラムによって管理サーバ１０に登録することができる。さらに、利用者携帯電話機４３から読み取った前記クーポン情報の有効性を有効性判定プログラムによって判定することができる。また、有効であると判断されたクーポン情報を、認証要求プログラムによって管理サーバ１０に対して認証要求することができる。さらに、管理サーバ１０でクーポン情報が認証された場合、条件判定プログラムによって特典付与条件を満たすか否かを判定することができる。また、特典付与条件を満たしたと判定された場合に、特典付与プログラムによって特典を付与することができる。また、情報登録プログラムによって特典付与情報を管理サーバ１０に登録することができる。
【００５１】
また、利用者は、利用者携帯電話機４３のブラウザ機能によって管理サーバ１０に接続して、ＨＰ用の広告情報を液晶画面４３ａに出力することができる。また、例えば液晶画面４３ａに出力されたＨＰ用の広告情報や、電子ポスター出力自動販売機４４の液晶画面４４ｂに出力された電子ポスター用の広告情報等の広告情報に付加された広告特定情報をバーコードリーダで読み取り、記憶装置に保存することができる。また、記憶装置に保存した広告特定情報をＲＦＩＤ読書装置２３に送信し、クーポン発行所端末２０から送信されるクーポン情報を受信して保存することができる。  
また、ＲＦＩＤ読書装置４０ｃを介して、記憶装置に保存したクーポン情報や、予め保存された個人特定情報を特典付与所端末４０に送信することができる。
【００５２】
次に、広告者が広告を実行するための広告処理について、図３に示すフローチャートと共に詳述する。  
なお、この広告処理を実行する前に、広告者、特典付与所、クーポン発行所、並びに電子ポスター出力装置４２や電子ポスター出力自動販売機４４等の各広告媒体についての上記登録情報はそれぞれ既に登録されている。
【００５３】
なお、広告者、特典付与所、並びにクーポン発行所の各情報は、管理サーバ１０が提供するＨＰでそれぞれによって入力された登録項目を登録し、広告媒体情報については広告管理システム１を管理する管理者によって入力される。
【００５４】
まず、広告者の操作によって広告者端末３０が管理サーバ１０の提供する広告者用ＨＰのＵＲＬへアクセスして、広告者端末３０のブラウザに合わせた形式（ＨＴＭＬやＨＤＭＬ等）で管理サーバ１０から送信された広告者ＴＯＰ画面情報に基づく広告者トップ画面を表示装置３１に出力する。この広告者ＴＯＰ画面には、広告の実行を指示する画面に移行する広告ボタンと、広告効果を確認する画面に移行する広告効果ボタンとを備えている。  
この広告者ＴＯＰ画面で、上記広告ボタンが押下されると、広告者端末３０は、広告ボタン押下情報を管理サーバ１０に送信する（ステップｓ１）。
【００５５】
上記広告ボタン押下情報を受信した管理サーバ１０は、広告者端末３０に広告ＴＯＰ画面情報を送信し、広告ＴＯＰ画面情報を受信した広告者端末３０は広告ＴＯＰ画面を表示装置３１に出力する。この広告ＴＯＰ画面には、コンテンツを入力するコンテンツ入力画面に移行するコンテンツ入力ボタンと、既に入力されたコンテンツを利用した広告を実行する場合に広告詳細情報を入力する広告詳細情報入力画面に移行する広告設定ボタンとを備えている。
【００５６】
この広告ＴＯＰ画面で、コンテンツを新規入力するために上記コンテンツ入力ボタンが押下されると（ステップｓ２：Ｎｏ）、広告者端末３０はコンテンツ入力ボタン押下情報を管理サーバ１０に送信する。
【００５７】
上記コンテンツ入力ボタン押下情報を受信した管理サーバ１０は広告者端末３０にコンテンツ入力画面情報を送信し、コンテンツ入力画面情報を受信した広告者端末３０は、図４に示すコンテンツ入力画面１００を表示装置３１に出力する。
【００５８】
このコンテンツ入力画面１００には、入力されるコンテンツ毎に自動的に割り振られたコンテンツＩＤを示すコンテンツＩＤ表示部１０１と、タイトルテキスト入力部１０２と、テキスト入力部１０３と、画像入力部１０４と、入力されたコンテンツを広告媒体毎のテンプレートに当てはめた広告情報をプレビューするプレビューボタン１０５と、入力したコンテンツを広告ＩＤとともに管理サーバ１０に登録する登録ボタン１０６と、直前の広告ＴＯＰ画面に移行する戻るボタン１０７とを備えている。
【００５９】
ここで、上記タイトルテキスト入力部１０２は、コンテンツのタイトルを入力させるテキストボックスである。  
また、上記テキスト入力部１０３は、テキスト１とテキスト２とで構成され、それぞれに、コンテンツ内容であるテキストを入力する入力テキストボックス部１０３ａと、該入力テキストボックス部１０３ａに入力されたテキストを表示するフォントを選択させるフォント選択プルダウンボタン１０３ｂと、フォントに大きさを示すポイントを選択させるポイント選択プルダウンボタン１０３ｃとで構成している。
【００６０】
また、上記画像入力部１０４は、画像１と画像２とで構成され、それぞれに、広告者端末３０に記憶された画像データの記憶場所を入力する画像記憶場所入力テキストボックス部１０４ａと、例えば記憶場所が定かでない場合に、広告者端末３０のフォルダ構成を示す画面に移行する参照ボタン１０４ｂとで構成されている。  
なお、この図４では、テキスト入力部１０３、及び画像入力部１０４をそれぞれ２つの入力を許容する構成としているが、これに限定されず、３以上の入力を許容する構成であっても良い。
【００６１】
ここで、テキスト入力部１０３、及び画像入力部１０４のそれぞれが入力され、プレビューボタン１０５が押下されると、広告者端末３０は、テキスト入力部１０３、及び画像入力部１０４の入力情報と、プレビューボタン押下情報を管理サーバ１０に送信する。プレビューボタン押下情報等を受信した管理サーバ１０は、プレビュー画面情報を広告者端末３０に送信する。プレビュー画面情報を受信した広告者端末３０は表示装置３１にプレビュー画面を出力する。このプレビュー画面には、図５に示すように、テキスト入力部１０３、及び画像入力部１０４の入力情報を当てはめたコンテンツ表示部２０１と、上記識別子生成プログラムで生成された広告特定情報を含む２Ｄバーコードで表示された広告特定識別子２０２とを表示したテンプレート２００と、コンテンツ入力画面１００に移行する戻るボタンを備えている。
【００６２】
このプレビュー画面で戻るボタンが押下されると広告者端末３０はテキスト入力部１０３、及び画像入力部１０４が入力済みであるコンテンツ入力画面１００に戻る。このコンテンツ入力画面１００で登録ボタン１０６が押下されると、管理サーバ１０はコンテンツＩＤとともにテキスト入力部１０３、及び画像入力部１０４の入力情報を登録する（ステップｓ３）。
【００６３】
次に、既にコンテンツが登録されている場合（ステップｓ２：Ｙｅｓ）や、コンテンツの入力が完了した後に、広告ＴＯＰ画面で広告設定ボタンが押下されると、広告者端末３０は管理サーバ１０に広告設定ボタン押下情報を送信する。広告設定ボタン押下情報を受信した管理サーバ１０は広告設定画面情報を広告者端末３０に送信し、広告者端末３０は広告設定画面を表示装置３１に出力する。
【００６４】
この広告設定画面には、入力済コンテンツを出力する広告媒体を既に設定した広告の詳細情報を設定する画面に移行する広告詳細設定画面ボタンと、入力済コンテンツを出力する広告媒体を選択する設定する広告媒体選択画面に移行する広告媒体選択ボタンとを備えている。
【００６５】
この広告設定画面で上記広告媒体選択ボタンが押下されると（ステップｓ４：Ｎｏ）、広告者端末３０は管理サーバ１０に広告媒体選択ボタン押下情報を送信する。広告媒体選択ボタン押下情報を受信した管理サーバ１０は、広告者端末３０に広告媒体選択画面情報を送信し、広告媒体選択画面情報を受信した広告者端末３０は表示装置３１に、図６に示す広告媒体選択画面１１０を出力する。
【００６６】
この広告媒体選択画面１１０には、入力される広告詳細情報毎に自動的に割り振られた広告ＩＤを示す広告ＩＤ表示部１１１と、この広告に用いるコンテンツ情報を示すコンテンツＩＤを入力するコンテンツＩＤ入力テキストボックス１１２と、広告媒体選択部１１３と、プレビュー部１１４と、次のステップの画面に移行する次へボタン１１５と、直前の広告設定画面に移行する戻るボタン１１６と、上記広告ＴＯＰ画面に移行するＴＯＰボタン１１７とを備えている。
【００６７】
上記広告媒体選択部１１３は、複数の選択ラジオボタン１１３ａで構成され、それぞれが広告媒体や全ての広告媒体を示しており、選択された選択ラジオボタン１１３ａに表示された広告媒体での広告を実行することができる。なお、複数で構成された選択ラジオボタン１１３ａは少なくとも１つ選択していればよく、複数の選択も許容する構成である。
【００６８】
上記プレビュー部１１４は、プレビューを確認したい広告媒体を選択する選択プルダウンボックス１１４ａと、該選択プルダウンボックス１１４ａで選択された広告媒体での出力結果をプレビューできる画面に移行するプレビューボタン１１４ｂで構成されている。
【００６９】
この広告媒体選択画面１１０で、コンテンツＩＤ入力テキストボックス１１２、及び広告媒体選択部１１３が入力され、次へボタン１１５が押下されると、広告者端末３０は、次へボタン押下情報とともに、コンテンツＩＤ入力テキストボックス１１２、及び広告媒体選択部１１３の入力情報を管理サーバ１０に送信する。次へボタン押下情報とともに、コンテンツＩＤ入力テキストボックス１１２、及び広告媒体選択部１１３の入力情報を受信した管理サーバ１０は該コンテンツＩＤ入力テキストボックス１１２、及び広告媒体選択部１１３の入力情報と広告ＩＤとを広告情報として管理ＤＢ１１に登録する（ステップｓ５）。
【００７０】
そして、登録されたコンテンツＩＤと、広告媒体選択情報に基づいて管理サーバ１０は、選択された広告媒体に適合する媒体別広告情報を生成する（ステップｓ６）。例えば、広告媒体選択画面１１０の広告媒体選択部１１３でハガキの選択ラジオボタン１１３ａが選択された場合、ハガキ３００を説明する図８に示すような、ハガキ３００の宛名面３０１の下方にテキスト２表示部３０１ａと、後述する第２広告ＩＤを２Ｄバーコード表示する２Ｄバーコード表示部３０１ｂとを表示し、裏面３０２の上段に、タイトルテキスト表示部３０２ａを、中段に画像１表示部３０２ｂと、画像２表示部３０２ｃとを、下段にテキスト１表示部３０２ｄを表示するハガキ用広告情報を生成する。
【００７１】
このようにして、広告媒体選択画面１１０で次へボタン１１５が押下され、媒体別広告情報が生成された場合、或いは上記広告設定画面で広告詳細設定画面ボタンが押下されると（ステップｓ４：Ｙｅｓ）、管理サーバ１０はその選択された広告媒体毎の広告を実行するための詳細を設定する詳細設定画面情報を広告者端末３０に送信し、広告者端末３０はその媒体別の詳細設定画面を出力する。
【００７２】
例えば、広告媒体として電子ポスターが選択されている場合、図７に示すような電子ポスター用の広告詳細設定画面１２０が出力される。この広告詳細設定画面１２０では、上記広告媒体情報を含む第２広告ＩＤを表示する第２広告ＩＤ表示部１２１ａと、その広告に用いられるコンテンツを示すコンテンツＩＤを表示するコンテンツＩＤ表示部１２１ｂと、該コンテンツＩＤ表示部１２１ｂで表示されたコンテンツと関連付けて表示するコンテンツのＩＤを入力する関連コンテンツＩＤ入力部１２２と、関連コンテンツを表示する場合に表示順序等を定めた表示プログラムのＩＤを入力するプログラムＩＤ入力部１２３と、配信先である前記電子ポスター出力装置４２等の電子ポスター装置のＩＤを入力する配信先ＩＤ入力部１２４、配信期間を入力する配信期間入力部１２５と、各入力部に入力した内容を管理サーバ１０に登録する決定ボタン１２６と、直前の広告設定画面に移行する戻るボタン１２７と、前記広告ＴＯＰ画面に移行するＴＯＰボタン１２８とを備えている。
【００７３】
なお、上記第２広告ＩＤ表示部１２１ａで表示される第２広告ＩＤは、識別子生成プログラムによって、広告媒体選択画面１１０で自動的に割り当てられた前記広告ＩＤの末尾に、広告媒体選択画面１１０で選択した広告媒体を示す識別記号が付与されている。
【００７４】
なお、この第２広告ＩＤが広告を特定することのできるＩＤとして管理ＤＢ１１に登録される。したがって、上述したように、広告情報には、この第２広告ＩＤが２Ｄバーコードとして付加される。この２Ｄバーコードを読取り、管理サーバ１０に照会することで、コンテンツＩＤや広告媒体ＩＤ等の広告の詳細情報を得ることができる。
【００７５】
上記関連コンテンツＩＤ入力部１２２は、３つの入力テキストボックス１２２ａと、さらに入力テキストボックス１２２ａの数を追加する追加ボタンとで構成されている。  
プログラムＩＤ入力部１２３は、既に登録された表示プログラムを選択する表示プログラム選択プルダウンボックス１２３ａと、新たに表示プログラムを作成する画面に移行する新規ボタン１２３ｂとで構成されている。
【００７６】
配信先ＩＤ入力部１２４は、例えば、既に登録された複数の電子ポスター出力装置４２や電子ポスター出力装置搭載タクシー４５で構成された配信グループや、個別の配信先を選択する配信先選択プルダウンボックス１２４ａと、新たに配信先のグループを作成する画面に移行する新規ボタン１２４ｂとで構成されている。  
配信期間入力部１２５は、配信期間の始期を入力する始期入力テキストボックス１２５ａと、配信期間の終期を入力する終期入力テキストボックス１２５ｂとで構成されている。
【００７７】
この広告詳細設定画面１２０で、関連コンテンツＩＤ入力部１２２、プログラムＩＤ入力部１２３、配信先ＩＤ入力部１２４並びに配信期間入力部１２５等が入力され決定ボタン１２６が押下されると、広告者端末３０は、決定ボタン押下情報とともに、関連コンテンツＩＤ入力部１２２、プログラムＩＤ入力部１２３、配信先ＩＤ入力部１２４並びに配信期間入力部１２５等の入力情報を管理サーバ１０に送信し、これらを受信した管理サーバ１０は、広告詳細情報として管理ＤＢ１１に登録する（ステップｓ７）。
【００７８】
また、広告詳細情報を登録した管理サーバ１０は、配信期間入力部１２５で入力された配信期間の間、配信先ＩＤ入力部１２４で指定された電子ポスター出力装置４２や電子ポスター出力自動販売機４４等の電子ポスター出力装置に上記広告が出力されるように広告情報を配信する（ステップｓ８）。
【００７９】
上記広告情報が配信された電子ポスター出力装置４２等の電子ポスター出力装置は、プログラムＩＤ入力部１２３で指定された表示プログラムに基づいて、コンテンツＩＤ表示部１２１ｂで示されたコンテンツと、関連コンテンツＩＤ入力部１２２で入力されたコンテンツを、配信期間入力部１２５で設定された配信期間中に出力するとともに、広告を出力した実績情報である広告情報を管理サーバ１０に送信し、管理ＤＢ１１に登録して（ステップｓ９）、広告処理は完了する。
【００８０】
なお、広告媒体選択画面１１０の広告媒体選択部１１３で、ハガキが選択された場合、広告詳細設定画面１２０には、関連コンテンツＩＤ入力部１２２、プログラムＩＤ入力部１２３、配信先ＩＤ入力部１２４、並びに配信期間入力部１２５の代わりに、出力するハガキの種類を選択するハガキ種類選択プルダウンボックスや、既に登録された複数の送付先で構成された送付グループや、個別の送付先を選択する送付先選択プルダウンボックス等を表示する。
【００８１】
また、広告媒体選択画面１１０の広告媒体選択部１１３で、チラシや冊子が選択された場合、広告詳細設定画面１２０には、関連コンテンツＩＤ入力部１２２、プログラムＩＤ入力部１２３、配信先ＩＤ入力部１２４、並びに配信期間入力部１２５の代わりに、出力するチラシや冊子の用紙サイズを選択する用紙サイズ選択プルダウンボックスや、配布枚数を入力する配布枚数入力テキストボタンや、既に登録された配布場所を選択する配布場所選択プルダウンボックスや、配布対象を選択する配布対象選択プルダウンボックス等を表示する。
【００８２】
上記構成及び動作により、広告者は、広告者端末３０を用いて、管理サーバ１０に広告したいコンテンツを登録することができるとともに、複数種ある広告媒体から選択して希望する広告媒体に合わせた広告情報を管理サーバ１０で生成することができる。
【００８３】
このとき、広告媒体毎の広告情報には上述した広告特定情報を２Ｄバーコードとして付加することができる。また、広告者は広告詳細情報を登録しておくことで、選択した広告媒体に設定された配信期間や配布場所で広告を実行することができる。
【００８４】
さらには、広告媒体として電子ポスターやＨＰを選択した場合、複数のコンテンツを関連つけて配信し、表示順序等を定めた表示プログラムにあわせて出力することができる。
【００８５】
なお、上記広告処理において、例えば利用者の清算金額の５％割引等の特典内容や、複数の広告特定情報に基づくクーポン情報である場合のコマーシャ特定情報数倍の割引率であるといった複数の広告特定情報の場合の特典内容や、情報に特典付与所で３０００円以上の清算金額の場合に特典付与できる等の特典付与条件や、クーポン発行所で３０００円以上の購入金額の場合にクーポンを発行する等のクーポン発行条件特典付与条件を入力する特典情報登録画面を設けて管理ＤＢ１１に登録してもよい。
【００８６】
次に、上述した広告処理で出力された広告から広告特定情報を取得した利用者に特典を付与する特典付与処理を、図９に示すフローチャートとともに説明する。
【００８７】
まず、電子ポスター出力装置４２等の広告媒体で表示された広告を確認し、特典の付与を希望する利用者は、利用者携帯電話機４３に備えたリーダで、表示された広告に２Ｄバーコードとして付加された広告特定情報を読み取り、利用者携帯電話機４３内部に記憶する。
【００８８】
上記広告特定情報を利用者携帯電話機４３に記憶した利用者がクーポン発行所に訪れ、該クーポン発行所で買物をして会計する際に、クーポン発行を希望する旨が伝えられると、クーポン発行所の担当者はレジスタ２２に備えたＲＦＩＤ読書装置２３で利用者携帯電話機４３と通信して、利用者携帯電話機４３内部に記憶した広告特定情報を取得する（ステップｕ１）。
【００８９】
広告特定情報を取得したクーポン発行所端末２０は、取得した２Ｄバーコードである広告特定情報が識別可能であるか否かを上記有効性判定プログラムによって判定し、有効でない（識別不可能）広告特定情報であると判定された場合（ステップｕ２：Ｎｏ）、再度の広告特定情報の取得を促す画面を表示装置２１に表示し、ＲＦＩＤ読書装置２３によって利用者携帯電話機４３と通信して再度広告特定情報を取得する。
【００９０】
逆に、有効（識別可能）な広告特定情報であると判定された場合（ステップｕ２：Ｙｅｓ）、広告特定情報で特定された広告で設定されたクーポン発行条件に基づいて、利用者の購入金額が上記クーポン発行条件を満足するかを上記条件判定プログラムで判定する。詳述すると、該条件判定プログラムは、クーポン発行条件金額が３０００円以上の購入金額と設定されている場合、利用者の購入金額が３０００円に満たない場合はクーポン発行条件を満たさないとして判定する。逆に、利用者の購入金額が３０００円以上である場合は、クーポン発行条件を満足すると判定する。このようにして、該条件判定プログラムでクーポン発行条件を満足しないと判定された場合（ステップｕ３：Ｎｏ）、クーポン発行所端末２０はクーポン情報を発行せず、この特典付与処理を完了する。
【００９１】
逆に、クーポン発行条件を満たすと判定された場合（ステップｕ３：Ｙｅｓ）、クーポン発行所端末２０はクーポン発行プログラムによってクーポン情報を発行し（ステップｕ４）、発行したクーポン情報をクーポン情報書込みプログラムによって利用者携帯電話機４３に書き込む。
【００９２】
また、クーポン発行所端末２０は、クーポンの発行情報とともに、レジスタ２２で計上した購入情報を管理サーバ１０に送信する。クーポンの発行情報と購入情報を受信した管理サーバ１０はクーポン発行情報及び購入情報を登録する（ステップｕ５）。  
なお、利用者携帯電話機４３に複数の広告特定情報を記憶している場合、広告特定情報数を含むクーポン情報を発行するとともに、クーポン発行情報にも、広告特定情報数を登録する。
【００９３】
次に、クーポン発行所でクーポン情報を受信し、利用者携帯電話機４３内部にクーポン情報を記憶した利用者が特典付与所を訪れ、会計清算時に特典の付与を希望する旨が担当者に伝えられると、特典付与所の担当者はレジスタ４０ｂに備えたＲＦＩＤ読書装置４０ｃで利用者携帯電話機４３と通信して、利用者携帯電話機４３内部に記憶したクーポン情報と利用者の個人特定情報を取得する（ステップｕ６）。
【００９４】
クーポン情報を取得した特典付与所端末４０は取得したクーポン情報が認識可能なクーポン情報であるか否かを有効性判定プログラムによって判定し、有効でない（認識不可能）クーポン情報であると判定された場合（ステップｕ７：Ｎｏ）、再度のクーポン情報の取得を促す画面を表示装置４０ａに表示し、ＲＦＩＤ読書装置４０ｃによって利用者携帯電話機４３と通信して再度クーポン情報を取得する。
【００９５】
逆に、有効（認識可能）なクーポン情報である場合（ステップｕ７：Ｙｅｓ）、特典付与所端末４０は取得したクーポン情報とともに利用者の個人特定情報を管理サーバ１０に送信するとともに、上記認証要求プログラムによってクーポン情報の認証を要求する（ステップｕ８）。
【００９６】
クーポン情報を受信した管理サーバ１０は、前記認証プログラムによって、管理ＤＢ１１に記憶されたクーポン発行情報に照合して認証を行う。このとき、例えば、クーポン情報が偽造された場合など、クーポン発行情報と照合して認証されなかった場合（ステップｕ９：Ｎｏ）、管理サーバ１０は特典付与所端末４０に認証されなかった旨を通知する画面を送信し、個人特定情報を破棄して（ステップｕ１６）特典付与処理を完了する。
【００９７】
逆に、クーポン情報が認証された場合（ステップｕ９：Ｙｅｓ）、さらに、管理サーバ１０は当該クーポン情報が特典付与済みでないか否かをクーポン発行情報に照合して判定する。当該クーポン情報が特典付与済みクーポン情報であった場合（ステップｕ１０：Ｎｏ）、管理サーバ１０は特典付与所端末４０に特典付与済みクーポン情報であった旨を通知する画面を送信し、個人特定情報を破棄して（ステップｕ１７）特典付与処理を完了する。
【００９８】
逆に、当該クーポン情報が特典付与済みクーポン情報でなかった場合（ステップｕ１０：Ｙｅｓ）、さらに管理サーバ１０はクーポン情報が例えば、同じコンテンツ情報に基づき異なる複数の広告媒体による広告特定情報があり、その複数の広告特定情報に基づいて発行されたクーポン情報であるか否かを判定する。
【００９９】
複数の広告特定情報に基づくクーポン情報でない場合（ステップｕ１１：Ｎｏ）、管理サーバ１０は、特典付与所端末４０に広告で設定されたひとつの広告情報に基づく特典情報を送信し、特典付与所端末４０は受信した特典情報に基づいて、利用者の清算金額にひとつの広告情報に基づく特典を付与して清算する（ステップｕ１２）。
【０１００】
また、複数の広告特定情報に基づくクーポン情報である場合（ステップｕ１１：Ｙｅｓ）、管理サーバ１０は、特典付与所端末４０に広告で設定された複数の広告情報に基づく特典情報を送信し、特典付与所端末４０は受信した特典情報に基づいて、利用者の清算金額に広告情報数に応じた特典を付与して清算する（ステップｕ１３）。
【０１０１】
このように、利用者の清算金額に特典を付与した特典付与所端末４０は、特典として付与した割引金額等の特典内容とともに、特典付与情報を管理サーバ１０に送信する。該特典付与情報を受信した管理サーバ１０は、受信した特典付与情報を登録するとともに（ステップｕ１４）、特典を付与したクーポン情報に対応するクーポン発行情報を特典付与済クーポン情報に更新し（ステップｕ１５）、特典付与処理は終了する。
【０１０２】
以上のような構成及び動作により、利用者は、広告媒体に出力された広告から広告特定情報を利用者携帯電話機４３に取り込み、クーポン発行所で買物をした際、発行されたクーポン情報を取得することができる。また、利用者は、取得したクーポン情報に基づいて、特典付与所での清算金額を減額するといった特典を受けることができる。また、利用者は複数の広告特定情報を所得することで、その広告特定情報数に応じた特典を受けることができる。
【０１０３】
また、クーポン発行所は、クーポン発行条件を満たす利用者に対してクーポンを発行することで、売り上げを向上することができる。また、特典付与所は、特典付与条件を満たす利用者に特典を付与することで、集客効果を高めて売り上げの向上を図ることができる。
【０１０４】
また、広告者は、複数の広告媒体での広告を容易に実行できるため、広告効果を向上することができる。  
さらには、クーポン発行所端末２０で取得されたクーポン情報を管理サーバ１０で認証するため、偽造クーポン情報に基づく特典の付与を防止することができる。また、クーポン発行情報を特典付与した際に特典付与済みであることを更新し、クーポン利用の際に、既に特典付与済みクーポン情報であるか否かを管理サーバ１０で判定するため、特典付与されたクーポン情報に２重の特典を付与することを防止できる。
【０１０５】
なお、上記構成において、特典は、特典付与所での利用者の清算金額の割引であったが、ドリンク一杯サービス等の商品の提供としてもよい。  
また、上記クーポン情報が複数の関連コンテンツを有する広告特定情報に基づいて発行された場合、関連コンテンツ数をクーポン情報に盛り込み、この関連コンテンツ数によって付与される特典内容を変化させてもよい。なお、関連コンテンツ数によって変化させる特典内容は、複数の広告特定情報に基づく特典内容と同じであってもよいし、例えば、複数の関連コンテンツによってシリーズを構成し、このシリーズ数に応じて特典を付与する等異なってもよい。
【０１０６】
また、利用者携帯電話機４３からのクーポン情報の取得を、利用者携帯電話機４３から管理サーバ１０に送信した電子メールによって取得する構成であってもよい。この場合、上記クーポン情報に、管理サーバ１０の電子メールアドレスを格納しておき、利用者携帯電話機４３のメールプログラムによって、管理サーバ１０にクーポン情報、個人特定情報、並びに希望する特典付与所のＩＤを添付して送信すればよい。このような構成により、特典付与所で利用者携帯電話機４３からクーポン情報を取得する手間が省けるとともに、特典付与所端末４０にＲＦＩＤ読書装置４０ｃを備える必要がなくなり利便性が高まる。
【０１０７】
また、上記実施例においては、上記クーポン情報はクーポン発行所端末２０で発行された電子クーポン情報であるが、購入金額清算の際にレジスタ２２から発行されるレシートに２Ｄバーコードで記されたクーポン情報であってもよい。この場合、特典付与所ではこのレシートの提示によって特典を付与することができる。したがって、レシートの提示によって特典付与所は利用者からクーポン情報を取得できるため、利用者携帯電話機４３を操作して特典付与所端末４０にクーポン情報を送信する手間が省け、利用者の利便性が高まる。また、マジック等で上記クーポン情報を示す２Ｄバーコードを塗りつぶせば読取り不可能となるため、クーポン発行情報を更新する必要がなくなる。
【０１０８】
次に、図示省略するが、少なくとも一通りの特典付与処理が完了した管理サーバ１０に対して広告者が広告者端末３０を用いて行う広告効果確認処理について説明する。  
広告者によって前記広告者ＴＯＰ画面に表示された広告効果ボタンを押下されると、広告者端末３０は広告効果ボタン押下情報を管理サーバ１０に送信する。広告効果ボタン押下情報を受信した管理サーバ１０は、広告効果を確認する広告を特定する広告特定画面情報を広告者端末３０に送信する。広告特定画面情報を受信した広告者端末３０は、広告特定画面を表示装置３１に出力する。
【０１０９】
この広告特定画面には広告効果の確認を希望する広告のＩＤを入力する広告ＩＤ入力部を備えている。該広告ＩＤ入力部に広告ＩＤが入力された広告者端末３０は、広告ＩＤ情報を管理サーバ１０に送信する。広告者端末３０から広告ＩＤ情報を受信した管理サーバ１０は、管理サーバ１０の管理ＤＢ１１に記憶された複数のクーポン発行情報、及び特典付与情報の中から広告ＩＤに該当する情報を抽出する。この抽出されたクーポン発行情報、及び特典付与情報に基づき、管理サーバ１０は集計処理実行プログラムによって、広告効果を算出する。
【０１１０】
詳述すると、集計処理実行プログラムは、利用者のクーポン情報発行のための購入金額と、特典付与のための清算金額と、広告者の広告実行ための広告実行費用等を抽出し、広告実行費用に対する上記購入金額と上記清算金額の合計金額の比を広告効果として算出する。このようにして広告効果を算出した管理サーバ１０は、算出結果を広告者端末３０に送信して広告効果確認処理を完了する。
【０１１１】
なお、上記広告特定画面情報で複数の広告ＩＤが入力できるように広告ＩＤ入力部を複数備え、それぞれの広告効果を算出して比較できるように構成してもよい。
【０１１２】
また、広告効果を、例えば、広告媒体をチラシとした場合で、配布枚数に対する特典付与件数の比を広告効果として算出してもよい。さらには、クーポン発行件数に対する特典付与件数の比を広告効果として算出する構成であってもよい。  
さらには、特典付与の際に取得した利用者の個人特定情報を反映させて、例えば、性別や、年齢構成毎の広告効果を算出する構成であってもよい。
【０１１３】
このようにして、広告者は広告者端末３０を用いて、管理サーバ１０に対して実行した広告の広告効果の確認を行うことができる。また、複数の広告の広告効果を比較できるため、同じコンテンツの広告媒体が異なる複数の広告を比較し、どの広告媒体による広告効果が高いかを確認することができる。したがって、その結果を次回の広告実行の際に反映することで、広告がターゲットとする対象の利用者を決定し、ターゲットとする利用者にとって広告効果のより高い広告媒体を優先して実行する等の広告戦略を立てて、効率のよい広告を実行することができる。
【０１１４】
この発明の構成と、上述の実施形態との対応において、
この発明のコンテンツ入力手段はコンテンツ入力画面１００に対応し、
以下同様に、
広告媒体は、電子ポスター出力装置４２，４４ｄ、４５ｂ、利用者携帯電話機４３、ハガキ３００、チラシ及び冊子に対応し、
媒体選択手段は、広告媒体選択部１１３に対応し、
広告特定情報は、広告ＩＤに対応し、
広告情報生成手段は、広告情報生成プログラム及び識別子生成プログラムに対応し、
利用者端末は、利用者携帯電話機４３に対応し、
特定情報取得手段は、ＲＦＩＤ読書装置２３，４０ｃに対応し、
特典付与手段は、特典付与プログラムに対応し、
特典付与情報管理手段及び発行情報管理手段は、特典等の情報を管理する管理プログラムに対応し、
コンテンツ種別特定情報は、関連コンテンツＩＤに対応し、
集計手段および広告効果算出手段は、集計処理実行プログラムに対応し、
広告効果出力手段は、表示装置３１に対応し、
クーポン発行手段は、クーポン発行プログラムに対応するも、
この発明は、上述の実施形態の構成のみに限定されるものではなく、多くの実施の形態を得ることができる。
【図面の簡単な説明】
【０１１５】
【図１】広告管理システムのシステム構成図。
【図２】電子ポスター出力自動販売機の正面図。
【図３】広告処理のフローチャート。
【図４】コンテンツ入力画面の画面イメージ図。
【図５】プレビュー画面の画面イメージ図。
【図６】広告媒体選択画面の画面イメージ図。
【図７】広告詳細設定画面の画面イメージ図。
【図８】広告媒体であるハガキを説明する説明図。
【図９】特典付与処理のフローチャート。
【符号の説明】
【０１１６】
１…広告管理システム
２３…ＲＦＩＤ読書装置
３１…表示装置
４０ｃ…ＲＦＩＤ読書装置
４２，４４ｄ，４５ｂ…電子ポスター出力装置
４３…利用者携帯電話機
１００…コンテンツ入力画面
１１３…広告媒体選択部
３００…ハガキ
【図１】
2007304634.tif 000003
【図２】
2007304634.tif 000004
【図３】
2007304634.tif 000005
【図４】
2007304634.tif 000006
【図５】
2007304634.tif 000007
【図６】
2007304634.tif 000008
【図７】
2007304634.tif 000009
【図８】
2007304634.tif 000010
【図９】
2007304634.tif 000011